(57)【要約】【課題】画面ミュートの対象である番組の場合に、即座に画面ミュートを行うことを可能にしたテレビジョン受信機を提供する。【解決手段】視聴中のチャンネルが画面ミュート状態であり、他のチャンネルに変更された場合に、制御部１７によりこの画面ミュートに関するミュート履歴情報を該当チャンネルに対応付けてミュート履歴メモリ２１に記録し、しかる後に他のチャンネルから元の画面ミュートのチャンネルを選局された場合に、ミュート履歴メモリ２１から該当チャンネルのミュート履歴情報を読み出し、このミュート履歴情報に基づいて該当チャンネルの画面ミュートを実行するようにミュート回路１３を制御するようにしている。【選択図】      図１
2006186849.tif 000002
【特許請求の範囲】
【請求項１】
少なくとも１チャンネルが番組内容の過激度を示すレイティング情報を重畳した複数チャンネルのテレビジョン放送信号の中から選局部により選局されたチャンネルに対応するレイティング情報を抽出し、このレイティング情報を予め登録されたレイティング情報と比較し、この比較結果に基づいて表示器に再生表示される該当番組を視聴不能にするための画面ミュートを行うテレビジョン受信機であって、
前記表示器に表示される第１のチャンネルの番組が画面ミュート状態であるとき、この画面ミュートに関するミュート履歴情報を前記第１のチャンネルに対応付けて記録媒体に記録する記録手段と、
前記選局部により前記第１のチャンネルから該第１のチャンネルとは異なる第２のチャンネルが選局された後に、前記第１のチャンネルが選局された場合に、前記記録媒体から前記第１のチャンネルの前記ミュート履歴情報を読み出し、該ミュート履歴情報に基づいて前記表示器に表示される番組を画面ミュートする制御手段とを具備したことを特徴とするテレビジョン受信機。
【請求項２】
前記制御手段は、
前記レイティング情報の抽出から画面ミュートの実行までに要する時間を計時するタイマと、
前記選局部により前記第１のチャンネルから前記第２のチャンネルが選局された場合に、前記タイマを起動する起動手段と、
前記タイマにより計時される時間内に、前記第１のチャンネルに変更されたことを検出する検出手段と、
この検出手段により前記第１のチャンネルに変更されたことが検出されたとき、前記記録媒体から前記第１のチャンネルのミュート履歴情報を読み出し、このミュート履歴情報に基づいて前記表示器に表示される番組を画面ミュートする表示制御手段とを備えたことを特徴とする請求項１記載のテレビジョン受信機。
【請求項３】
前記表示制御手段は、前記タイマにより計時される時間を越えて、前記第１のチャンネルに変更されたことが検出されたとき、前記表示器に前記第１のチャンネルの番組を表示することを特徴とする請求項２記載のテレビジョン受信機。
【請求項４】
前記記録手段は、前記選局部により前記第１のチャンネルから第２のチャンネルが選局された場合に、ミュート履歴情報を前記第１のチャンネルに対応付けて記録媒体に記録することを特徴とする請求項１記載のテレビジョン受信機。
【請求項５】
少なくとも１チャンネルが番組内容の過激度を示すレイティング情報を重畳した複数チャンネルのテレビジョン放送信号の中から選局部により選局されたチャンネルに対応するレイティング情報を抽出し、このレイティング情報を予め登録されたレイティング情報と比較し、この比較結果に基づいて表示器に再生表示される該当番組を視聴不能にするための画面ミュートを行う第１の受信部と、この第１の受信部とは異なるチャンネルに対応するレイティング情報を抽出し、このレイティング情報を予め登録されたレイティング情報と比較する第２の受信部とを備えたテレビジョン受信機であって、
前記表示器に表示される第１のチャンネルの番組が画面ミュート状態であるとき、この画面ミュートに関するミュート履歴情報を前記第１のチャンネルに対応付けて記録媒体に記録する記録手段と、
前記選局部により前記第１のチャンネルから該第１のチャンネルとは異なる第２のチャンネルが選局された後に、前記第１のチャンネルが選局された場合に、前記記録媒体から前記第１のチャンネルの前記ミュート履歴情報を読み出し、該ミュート履歴情報に基づいて前記表示器に表示される番組を画面ミュートする制御手段と、
前記記録手段による前記ミュート履歴情報の記録後に、前記第１及び第２の受信部のうち空きの受信部により得られるレイティング情報の比較結果に基づいて、前記記録媒体上の前記ミュート履歴情報の記録内容を更新する更新手段とを具備したことを特徴とするテレビジョン受信機。
【請求項６】
前記制御手段は、
前記レイティング情報の抽出から画面ミュートの実行までに要する時間を計時するタイマと、
前記選局部により前記第１のチャンネルから前記第２のチャンネルが選局された場合に、前記タイマを起動する起動手段と、
前記タイマにより計時される時間内に、前記第１のチャンネルに変更されたことを検出する検出手段と、
この検出手段により前記第１のチャンネルに変更されたことが検出されたとき、前記記録媒体からミュート履歴情報を読み出し、このミュート履歴情報に基づいて前記表示器に表示される番組を画面ミュートする表示制御手段とを備えたことを特徴とする請求項５記載のテレビジョン受信機。
【請求項７】
前記表示制御手段は、前記タイマにより計時される時間を越えて、前記第１のチャンネルに変更されたことが検出されたとき、前記表示器に前記第１のチャンネルの番組を表示することを特徴とする請求項６記載のテレビジョン受信機。
【請求項８】
前記記録手段は、前記選局部により前記第１のチャンネルから前記第２のチャンネルが選局された場合に、ミュート履歴情報を前記第１のチャンネルに対応付けて記録媒体に記録することを特徴とする請求項５記載のテレビジョン受信機。
【請求項９】
前記更新手段は、前記記録媒体上のミュート履歴情報と同じ第１のチャンネルを前記第１及び第２の受信部のうち空きの受信部に選局させる選局制御手段を備えることを特徴とする請求項５記載のテレビジョン受信機。
【請求項１０】
少なくとも１チャンネルが番組内容の過激度を示すレイティング情報を重畳した複数チャンネルのテレビジョン放送信号の中から選局部により選局されたチャンネルに対応するレイティング情報を抽出し、このレイティング情報を予め登録されたレイティング情報と比較し、比較結果に基づいて表示器に再生表示される該当番組を視聴不能にするための画面ミュートを行うテレビジョン受信機の制御方法であって、
前記表示器に表示される第１のチャンネルの番組が画面ミュート状態であるとき、この画面ミュートに関するミュート履歴情報を前記第１のチャンネルに対応付けて記録媒体に記録し、
前記選局部により前記第１のチャンネルから該第１のチャンネルとは異なる第２のチャンネルが選局された後に、前記第１のチャンネルが選局された場合に、前記記録媒体から前記第１のチャンネルの前記ミュート履歴情報を読み出し、該ミュート履歴情報に基づいて前記表示器に表示される番組を画面ミュートするようにしたことを特徴とするテレビジョン受信機の制御方法。
【発明の詳細な説明】
【技術分野】
【０００１】
この発明は、テレビジョン放送信号に多重されるレイティング情報を利用して該当する番組の視聴制限を行うテレビジョン受信機及びこのテレビジョン受信機の制御方法に関する。
【背景技術】
【０００２】
近年、テレビジョン受信機にあっては、テレビジョン放送信号に多重された番組内容の過激度を表すレイティング情報を利用して、例えば親が子供に見せたくない番組をカットするＶチップを搭載したテレビジョン受信機がある。このＶチップは、過激な暴力や性描写のシーンを表示画面に映らないようにするマイクロチップの装置で、テレビジョン受信機に予め登録した暗証番号によって管理し、自由に視聴できないようにする機能である。
【０００３】
テレビジョン受信機は、映像信号の垂直帰線期間の２１ライン目に重畳されて送出されたレイティング情報をデコードし、予めテレビジョン受信機に設定された所定の視聴制限ランクと照合し、表示画面に映すか否かを判断する。そして、視聴制限を越えている場合には画面ミュートが行われ、通常、映像は黒、音声はミュートされる。なお、レイティング情報はチャンネルごとに送られている。
【０００４】
ところで、上記テレビジョン受信機では、レイティング情報がチャンネルごとに送られているため、視聴したいチャンネルを選局した後に、重畳されたデータを検出しデコードした情報が判明し、画面に映すか否かが決定されるまでには所定の時間が必要である。例えば、現在視聴中のチャンネルが画面ミュートされた状態で、視聴者のリモコン操作により別のチャンネルが選局され、再び元のチャンネルに戻る操作が行われる場合、応答性を良くするためにまず映像の出画が行われ、レイティング情報をデコードした結果により再度画面ミュートが行われる。このミュートが行われるまでの待ち時間、本来は見せたくない番組で画面ミュートされるべき映像の場合でも、映像が一瞬映ってしまう。
【０００５】
そこで、従来では、ＥＰＧ（Electronic Program Guide）を利用して、テレビジョン放送信号を受信する前に、画面ミュートを行うべきか否かを認識することが可能な視聴制限装置が提案されている（例えば、特許文献１）。
【特許文献１】特開２００３−１１０９５３号公報。
【発明の開示】
【発明が解決しようとする課題】
【０００６】
しかしながら、上記視聴制限装置では、ＥＰＧにより示される番組単位で画面ミュートを行うものであり、番組内のあるシーンにおいて画面ミュートを行うものではない。また、上記視聴制限装置は、番組予約時に、該当する番組を画面ミュートするか否かを判断するものであり、実際に番組を視聴している最中に、リモコン操作が行われて選局後の番組が画面ミュート対象の番組である場合に、即座に画面ミュートを行うものではない。
【０００７】
そこで、この発明の目的は、画面ミュートの対象である番組の場合に、即座に画面ミュートを行うことを可能にしたテレビジョン受信機及びこのテレビジョン受信機の制御方法を提供することにある。
【課題を解決するための手段】
【０００８】
この発明は、上記目的を達成するために、以下のように構成される。  
少なくとも１チャンネルが番組内容の過激度を示すレイティング情報を重畳した複数チャンネルのテレビジョン放送信号の中から選局部により選局されたチャンネルに対応するレイティング情報を抽出し、このレイティング情報を予め登録されたレイティング情報と比較し、この比較結果に基づいて表示器に再生表示される該当番組を視聴不能にするための画面ミュートを行うテレビジョン受信機であって、表示器に表示される第１のチャンネルの番組が画面ミュート状態であるとき、この画面ミュートに関するミュート履歴情報を第１のチャンネルに対応付けて記録媒体に記録する記録手段と、選局部により第１のチャンネルから該第１のチャンネルとは異なる第２のチャンネルが選局された後に、第１のチャンネルが選局された場合に、記録媒体から第１のチャンネルのミュート履歴情報を読み出し、該ミュート履歴情報に基づいて表示器に表示される番組を画面ミュートする制御手段とを備えるようにしたものである。
【０００９】
この構成によれば、表示器に表示される番組が画面ミュート状態である場合に、この画面ミュートに関するミュート履歴情報がチャンネルに対応付けられて記録媒体に記録され、画面ミュート状態で、他のチャンネルを選局された後に、元の画面ミュートのチャンネルを選局された場合に、記録媒体から該当チャンネルのミュート履歴情報が読み出され、このミュート履歴情報に基づいて表示器に表示される番組が画面ミュートされることになる。
【００１０】
従って、チャンネル変更が行われて、元の画面ミュートのチャンネルが再度選局されたとしても、記録媒体に記録されたミュート履歴情報を利用して、即座に表示器に表示される番組を画面ミュートすることができる。
【００１１】
少なくとも１チャンネルが番組内容の過激度を示すレイティング情報を重畳した複数チャンネルのテレビジョン放送信号の中から選局部により選局されたチャンネルに対応するレイティング情報を抽出し、このレイティング情報を予め登録されたレイティング情報と比較し、この比較結果に基づいて表示器に再生表示される該当番組を視聴不能にするための画面ミュートを行う第１の受信部と、この第１の受信部とは異なるチャンネルに対応するレイティング情報を抽出し、このレイティング情報を予め登録されたレイティング情報と比較する第２の受信部とを備えたテレビジョン受信機であって、表示器に表示される第１のチャンネルの番組が画面ミュート状態であるとき、この画面ミュートに関するミュート履歴情報を第１のチャンネルに対応付けて記録媒体に記録する記録手段と、選局部により第１のチャンネルから該第１のチャンネルとは異なる第２のチャンネルが選局された後に、第１のチャンネルが選局された場合に、記録媒体から第１のチャンネルのミュート履歴情報を読み出し、該ミュート履歴情報に基づいて表示器に表示される番組を画面ミュートする制御手段と、記録手段によるミュート履歴情報の記録後に、第１及び第２の受信部のうち空きの受信部により得られるレイティング情報の比較結果に基づいて、記録媒体上のミュート履歴情報の記録内容を更新する更新手段とを備えるようにしたものである。
【００１２】
この構成によれば、チャンネル変更が行われて、元の画面ミュートのチャンネルが再度選局されたとしても、記録媒体に記録されたミュート履歴情報を利用して、即座に表示器に表示される番組を画面ミュートすることができるとともに、第１及び第２の受信部のうち空きの受信部を使用して該当チャンネルの画面ミュートの状態に変化があるごとに、記録媒体上のミュート履歴情報を更新情報に常にタイムリーに書き換えることができる。
【発明の効果】
【００１３】
以上詳述したようにこの発明によれば、画面ミュートの対象である番組の場合に、即座に画面ミュートを行うことを可能にしたテレビジョン受信機及びこのテレビジョン受信機の制御方法を提供することができる。
【発明を実施するための最良の形態】
【００１４】
以下、この発明の実施形態について図面を参照して詳細に説明する。  
（第１の実施形態）  
図１は、この発明に係わるテレビジョン受信機の第１の実施形態を示すブロック図である。
【００１５】
図示しない放送局から放送されたテレビジョン放送信号は、図示しないアンテナで受信された後、入力端子１１を介して復調部１２に供給される。復調部１２は、選局指示されたチャンネルのテレビジョン放送信号を復調して映像信号Ｖ及び音声信号Ａを再生するもので、このうち映像信号Ｖはミュート回路１３を介して映像表示部１４に供給される。従って、映像表示部１４には受信映像が表示される。また、音声信号Ａはミュート回路１３を介して音声出力部１５に供給されて音響再生される。
【００１６】
一方、復調部１２から出力される映像信号Ｖは、データスライサ１６に供給される。データスライサ１６は、映像信号Ｖをスライスして垂直帰線期間の２１ライン目に多重されたレイティング情報をデコードし、このデコードしたレイティング情報を制御部１７Ａに出力する。
【００１７】
制御部１７Ａには、レイティング設定メモリ１８と、入力部１９と、時間カウンタ２０と、ミュート履歴メモリ２１とが接続されている。このうち入力部１９は、ユーザがチャンネル指定など、テレビジョン受信機に対し種々の動作指示を入力するために使用するもので、視聴制限を希望するレイティング設定情報の登録指示の入力にも使用される。ここで、レイティング設定情報の登録指示が入力された場合には、制御部１７Ａは入力されたレイティング設定情報をレイティング設定メモリ１８に記録する。
【００１８】
そして、制御部１７Ａは入力部１９によるユーザの指示に従い、復調部１２に対し選局指示し、データスライサ１６によりデコードされたレイティング情報をレイティング設定メモリ１８に記憶されているレイティング設定情報と比較し、レイティング情報がレイティング設定情報のランクを超えていない場合に、ミュート回路１３に対し画面ミュートの停止制御を行う。一方、レイティング情報がレイティング設定情報のランクを超えている場合に、ミュート回路１３に対し画面ミュートの実行制御を行う。すると、ミュート回路１３は、黒画面信号を映像表示部１４に供給して黒映像を表示させるとともに、音声出力部１５に対し無音信号を供給する。
【００１９】
ところで、制御部１７Ａは、テレビジョン放送信号の受信表示動作に係わる通常の制御機能に加え、この発明に係わる新たな機能として、ミュート履歴記録機能１７１と、タイマ起動機能１７２と、ミュートチャンネル検出機能１７３と、画面ミュート制御機能１７４とを備えている。
【００２０】
ミュート履歴記録機能１７１は、画面ミュート状態で、他のチャンネルを選局された場合に、画面ミュートに関するミュート履歴情報を該当するチャンネルに対応付けてミュート履歴メモリ２１に記録する。なお、ミュート履歴メモリ２１は、情報の書き換え可能な不揮発性メモリからなる。
【００２１】
タイマ起動機能１７２は、画面ミュート状態のチャンネルから他のチャンネルに選局された場合に、時間カウンタ２０を起動、つまりリセットする。この時間カウンタ２０は、データスライス１６によるレイティング情報のデコード処理からミュート回路１３による画面ミュート実行処理までに要する時間、例えば５秒をカウントするものである。
【００２２】
ミュートチャンネル検出機能１７３は、ミュート履歴メモリ２１の記録内容に基づいて、時間カウンタ２０によりカウントされる５秒前に画面ミュート対象のチャンネルが選局されるか否かを検出する。
【００２３】
画面ミュート制御機能１７４は、上記ミュートチャンネル検出機能１７３により元の画面ミュートのチャンネルに変更されたことが検出されたとき、ミュート履歴メモリ２１からミュート履歴情報を読み出し、このミュート履歴情報に基づいて画面ミュートを実行するようにミュート回路１３を制御し、５秒を超えた場合に、画面ミュートを行わないようにミュート回路１３を制御する。
【００２４】
次に、上記構成における動作について説明する。  
例えば図２（ａ）に示すように、今、１チャンネルを視聴中とする。１チャンネルは画面ミュート中である。次に、図２（ｂ）に示すように２チャンネルを選局するようにチャンネル変更が行われた後、図２（ｃ）に示すように再び１チャンネルを選局された場合、まず１チャンネルの絵が見えて、新たにレイティング情報を受信しデコードした後の判定で、レイティング設定メモリ１８に記憶されているレイティング設定情報を超えていれば、図２（ｄ）に示すようにミュートが行われる。
【００２５】
このため、チャンネル変更の操作を素早く繰り返すと、途切れ途切れではあるが、映像を見ることができてしまうという問題点があった。
【００２６】
そこで、本第１の実施形態では、１チャンネルが画面ミュートであった履歴をミュート履歴メモリ２１に記憶し、さらに、時間カウンタ２０の時刻をリセット（ｔ＝０）するようにしている。
【００２７】
図３は、制御部１７Ａによる画面ミュート制御の手順及びその内容を示すフローチャートである。
【００２８】
まず、選局した１チャンネルが画面ミュート状態であり、２チャンネルへの変更があった場合に、制御部１７ＡはステップＳＴ３ａからステップＳＴ３ｂに移行し、時間カウンタ２０をリセットし、画面ミュートであったことを示すミュート履歴情報を１チャンネルに対応付けてミュート履歴メモリ２１に記録する（ステップＳＴ３ｃ）。
【００２９】
次に、２チャンネルから１チャンネルへチャンネル変更があったとする。すると、制御部１７Ａはミュート履歴メモリ２１を参照して、１チャンネルが以前画面ミュート状態であった旨を認識し（ステップＳＴ３ｄ）、時間カウンタ２０により計時される時刻が５秒以下であるか否かの判断を行う（ステップＳＴ３ｅ）。
【００３０】
ここで、時間カウンタ２０により計時される時刻が５秒以下であるならば（ＹＥＳ）、制御部１７Ａは時間カウンタ２０をリセットし（ステップＳＴ３ｆ）、図４（ｃ）に示すように、画面ミュートを実行するようにミュート回路１３を制御する（ステップＳＴ３ｇ）。
【００３１】
以後、制御部１７Ａは、１チャンネルの復調された映像信号からデコードされる新たな受信レイティング情報をもとに、ミュート回路１３を制御する（ステップＳＴ３ｈ）。ここで、新たな受信レイティング情報がレイティング設定メモリ１８に記憶されているレイティング設定情報を超えていれば、図４（ｄ）に示すように画面ミュートを継続し、越えていなければ、図４（ｅ）に示すように画面ミュートを解除する。
【００３２】
一方、上記ステップＳＴ３ｅにおいて、時間カウンタ２０により計時される時刻が５秒を越えているならば（ＮＯ）、制御部１７Ａは時間カウンタ２０をリセットし（ステップＳＴ３ｉ）、図５（ｃ）に示すように、ミュート回路１３に対し停止制御を行い、１チャンネルの映像、音声を通常通り出力する（ステップＳＴ３ｊ）。
【００３３】
ここで、新たな受信レイティング情報がレイティング設定メモリ１８に記憶されているレイティング設定情報を超えていれば、図５（ｄ）に示すように再び画面ミュートを実行する。
【００３４】
以上のように上記第１の実施形態では、視聴中のチャンネルが画面ミュート状態であり、他のチャンネルに変更された場合に、制御部１７Ａによりこの画面ミュートに関するミュート履歴情報を該当チャンネルに対応付けてミュート履歴メモリ２１に記録し、しかる後に他のチャンネルから元の画面ミュートのチャンネルを選局された場合に、ミュート履歴メモリ２１から該当チャンネルのミュート履歴情報を読み出し、このミュート履歴情報に基づいて該当チャンネルの画面ミュートを実行するようにミュート回路１３を制御するようにしている。
【００３５】
従って、チャンネル変更が行われて、元の画面ミュートのチャンネルが再度選局されたとしても、ミュート履歴メモリ２１に記録されたミュート履歴情報を利用して、即座に該当チャンネルの画面ミュートを実行することができる。
【００３６】
また、上記第１の実施形態では、データスライサ１６によるレイティング情報の抽出からミュート回路１３による画面ミュートの実行までに要する時間を時間カウンタ２０で計時させるようにしているので、画面ミュート状態からチャンネル変更が行われて時間カウンタ２０で計時される時間内に元の画面ミュートのチャンネルが選局された場合についてはミュート履歴メモリ２１に記憶されているミュート履歴情報を利用して即時画面ミュートを実行し、時間カウンタ２０で計時される時間を越えて元の画面ミュートのチャンネルが選局された場合については画面ミュートを行わないというように、チャンネル変更の経過時間ごとに最適な画面ミュートを行うことができる。
【００３７】
さらに、上記第１の実施形態では、画面ミュート状態で、他のチャンネルを選局された場合にのみミュート履歴情報がミュート履歴メモリ１８に記録されるので、ミュート履歴メモリ１８の不要な使用を防止して、これによりミュート履歴メモリ１８の有効利用率を高めることができる。
【００３８】
（第２の実施形態）  
図６は、この発明に係わるテレビジョン受信機の第２の実施形態を示すブロック図である。図６において、上記図１と同一部分には同一符号を付して詳細な説明を省略する。
【００３９】
第２の実施形態では、さらに入力端子３１、復調部３２及びデータスライサ３３が設けられている。図示しない放送局から放送されたテレビジョン放送信号は、図示しないアンテナで受信された後、入力端子１１を介して復調部１２に供給されるとともに、入力端子３１を介して復調部３２に供給される。
【００４０】
復調部３２は、選局指示されたチャンネルのテレビジョン放送信号を復調して映像信号Ｖ２及び音声信号Ａ２を再生するもので、これら映像信号Ｖ２及び音声信号Ａ２はミュート回路１３に供給される。
【００４１】
ミュート回路１３は、ユーザの指示に従って、ダブル画面表示モード時に、復調部１２，３２の各々から出力される映像信号Ｖ１，Ｖ２を映像表示部１４に供給して表示させ、復調部１２，３２の各々から出力される音声信号Ａ１，Ａ２を音声出力部１５に供給して音響再生させる。一方、１画面表示モード時に、復調部１２，３２の一方から出力される映像信号Ｖ１を映像表示部１４に供給して表示させ、復調部１２，３２の一方から出力される音声信号Ａ１を音声出力部１５に供給して音響再生させる。
【００４２】
一方、復調部３２から出力される映像信号Ｖ２は、データスライサ３３に供給される。データスライサ３３は、映像信号Ｖ２をスライスして垂直帰線期間の２１ライン目に多重されたレイティング情報をデコードし、このデコードしたレイティング情報を制御部１７Ｂに出力する。
【００４３】
ところで、制御部１７Ｂは、この発明に係わる制御機能として、ミュート履歴更新制御機能１７５を備えている。このミュート履歴更新制御機能１７５は、ミュート履歴メモリ２１に記憶されているミュート履歴情報と同じチャンネルを空いている復調部３２に選局させ、データスライス３３の出力に基づいて、ミュート履歴メモリ２１に記憶されているミュート履歴情報の更新を行う。
【００４４】
次に、上記構成における動作について説明する。  
図７は、制御部１７Ｂによる画面ミュート制御の手順及びその内容を示すフローチャートである。なお、図７において、上記図３と同一処理については説明を省略する。
【００４５】
まず、選局した１チャンネルが画面ミュート状態であり、２チャンネルへの変更があった場合に、制御部１７Ｂにより画面ミュートであったことを示すミュート履歴情報を１チャンネルに対応付けてミュート履歴メモリ２１に記録しているとする。
【００４６】
制御部１７Ｂは、上記ステップＳＴ３ａ乃至ステップＳＴ３ｊの処理に並行して、ミュート履歴メモリ２１からミュート履歴情報を取得し（ステップＳＴ７ａ）、このミュート履歴情報から画面ミュート状態にあった１チャンネルを空きの復調部３２に選局させ（ステップＳＴ７ｂ）、データスライサ３３でデコードされる受信レイティング情報に基づいて画面ミュートに変更があるか否かの判断を行う（ステップＳＴ７ｃ）。
【００４７】
ここで、画面ミュートに変更がある場合に（Ｙｅｓ）、制御部１７Ｂはミュート履歴メモリ２１に記憶中のミュート履歴情報の内容を更新する（ステップＳＴ７ｄ）。一方、画面ミュートに変更がない場合には（Ｎｏ）、処理を終了し、再度上記ステップＳＴ７ａの処理に移行する。
【００４８】
以上のように上記第２の実施形態によれば、チャンネル変更が行われて、元の画面ミュートのチャンネルが再度選局されたとしても、ミュート履歴メモリ２１に記憶されたミュート履歴情報を利用して、即座に該当チャンネルの画面ミュートを実行することができるとともに、空きの復調部３２及びデータスライサ３３を使用して該当チャンネルの画面ミュートの状態に変化があるごとに、制御部１７Ｂによりミュート履歴メモリ２１のミュート履歴情報を更新情報に常にタイムリーに書き換えることができる。
【００４９】
このため、ミュート履歴メモリ２１に記録された新らしいミュート履歴情報に基づいて、画面ミュートを行うことができる。
【００５０】
（その他の実施形態）  
なお、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５１】
【図１】この発明に係わるテレビジョン受信機の第１の実施形態を示すブロック図。
【図２】チャンネル変更により再度画面ミュートのチャンネルが選局された場合の動作を説明するために示す画面図。
【図３】同第１の実施形態における制御部の画面ミュート制御手順を示すフローチャート。
【図４】同第１の実施形態において、短時間で元の画面ミュートのチャンネルが選局された場合の動作例を説明するために示す画面図。
【図５】同第１の実施形態において、長時間で元の画面ミュートのチャンネルが選局された場合の動作例を説明するために示す画面図。
【図６】この発明に係わるテレビジョン受信機の第２の実施形態を示すブロック図。
【図７】同第２の実施形態における制御部のミュート履歴の更新制御手順を示すフローチャート。
【符号の説明】
【００５２】
１１，３１…入力端子、１２，３２…復調部、１３…ミュート回路、１４…映像表示部、１５…音声出力部、１６，３３…データスライサ、１７Ａ，１７Ｂ…制御部、１８…レイティング設定メモリ、１９…入力部、２０…時間カウンタ、２１…ミュート履歴メモリ、１７１…ミュート履歴記録機能、１７２…タイマ起動機能、１７３…ミュートチャンネル検出機能、１７４…画面ミュート制御機能、１７５…ミュート履歴更新制御機能。
【図１】
2006186849.tif 000003
【図２】
2006186849.tif 000004
【図３】
2006186849.tif 000005
【図４】
2006186849.tif 000006
【図５】
2006186849.tif 000007
【図６】
2006186849.tif 000008
【図７】
2006186849.tif 000009